(57)【特許請求の範囲】
【請求項１】
レバーの回転操作によって吐水の温度調節を行うシングルレバー式混合水栓において、
温度表示のための部材として水側の表示ボタンと湯側の表示ボタンとを、該レバーに対して固定側となる水栓本体と別体に構成して、それら表示ボタンを該水栓本体の上部且つ該レバーの直下の部位に、該水栓本体及び該レバーから左右方向に突出する状態で取付固定したことを特徴とするシングルレバー式混合水栓。
【請求項２】
請求項１において、前記表示ボタンと前記水栓本体との何れか一方に嵌合凸部を、他方に嵌合凹部を設けてそれら嵌合凸部，嵌合凹部を嵌合させる状態に該表示ボタンを該水栓本体に取付固定したことを特徴とするシングルレバー式混合水栓。
【請求項３】
レバーの回転操作によって吐水の温度調節を行うシングルレバー式混合水栓において、
温度表示のための表示リングを、該レバーに対して固定側となる水栓本体と別体に構成して、該表示リングを該水栓本体の上部且つ該レバーの直下の部位に取付固定し、該表示リングには該水栓本体及びレバーから左右方向に突出する水側の耳部と湯側の耳部とを設けてあることを特徴とするシングルレバー式混合水栓。
【発明の詳細な説明】
【０００１】
【発明の属する技術分野】
この発明はシングルレバー式混合水栓に関し、詳しくは温度表示手段に特徴を有するものに関する。
【０００２】
【従来の技術及び発明が解決しようとする課題】
従来、レバーの左右回転操作によって吐水の温度調節を行い、上下回転操作によって水量調節を行うシングルレバー式混合水栓が広く用いられている。
【０００３】
ところでこの種従来のシングルレバー式混合水栓の場合、図１５に一例を示しているように温度を表示するための表示部２００がレバー２０２の上面に設けてあり、これに起因して子供や或いは背の低い人にとって表示部２００が見辛く、また現在温度がどうなっているのか、又は吐水温度を更に低温又は高温にするためにはレバー２０２をどちらの方向に回転操作すれば良いかが分り辛いといった問題があった。
【０００４】
例えば低温側２００Ａを水色に、高温側２００Ｂを赤色に着色して表示を行ったような場合において（他の表示をした場合についても同様）、レバー２０２を図中左向きに回転操作すると、実際には吐水温度は高温側に変化して行くが、表示部２００については低温側２００Ａがレバー２０２と一緒に左向きに回転して使用者の手前に来てしまい、恰も吐水温度が低温側に変化しているかのような表示となってしまう。
このため使用者がレバー操作に際して混同を生じてしまうなど、操作性の点で問題を残していた。
【０００５】
【課題を解決するための手段】
本発明のシングルレバー式混合水栓はこのような課題を解決するために案出されたものである。
而して請求項１のものは、レバーの回転操作によって吐水の温度調節を行うシングルレバー式混合水栓において、温度表示のための部材として水側の表示ボタンと湯側の表示ボタンとを、該レバーに対して固定側となる水栓本体と別体に構成して、それら表示ボタンを該水栓本体の上部且つ該レバーの直下の部位に、該水栓本体及び該レバーから左右方向に突出する状態で取付固定したことを特徴とする。
【０００６】
請求項２のものは、請求項１において、前記表示ボタンと前記水栓本体との何れか一方に嵌合凸部を、他方に嵌合凹部を設けてそれら嵌合凸部，嵌合凹部を嵌合させる状態に該表示ボタンを該水栓本体に取付固定したことを特徴とする。
【０００７】
請求項３のものは、レバーの回転操作によって吐水の温度調節を行うシングルレバー式混合水栓において、温度表示のための表示リングを、該レバーに対して固定側となる水栓本体と別体に構成して、該表示リングを該水栓本体の上部且つ該レバーの直下の部位に取付固定し、該表示リングには該水栓本体及びレバーから左右方向に突出する水側の耳部と湯側の耳部とを設けてあることを特徴とする。
【０００８】
【作用及び発明の効果】
上記のように請求項１のものは、温度表示のための部材として水側を表す表示ボタンと湯側を表す表示ボタンとを水栓本体と別体に構成して、それらを水栓本体の上部であってレバーの直下の部位に、且つ水栓本体及びレバーから左右方向に突出する状態で取付固定したもので、このようにした場合、吐水温度を高温側に又は低温側に変化させるにはレバーをどちらの方向に回転操作すれば良いかが明らかであり、水栓使用者は混同を生じることなくレバーを目的とする方向に操作でき、従来に比べて操作性が向上する。
【０００９】
更にまた、温度表示のための表示ボタンがレバーの上面でなくレバーの下側の水栓本体側に、且つレバーの直下の部位に位置しているため、子供や或いは背の低い人でも容易にその表示部を見ることができる。
更にまたそれら表示ボタンは水栓本体及びレバーから左右方向に突出する状態で設けられているため、例えばハンドルを前方且つ斜め上方向きに傾けて取り付けた場合であっても、使用者が立姿勢でハンドルを正面から見たとき、即ちハンドルの上面側から見たとき温度表示が分り易い利点が得られる。
【００１０】
この場合において上記水側及び湯側の表示ボタンを嵌合凸部と嵌合凹部との嵌合により水栓本体に取付固定することができる（請求項２）。
このようにすれば、極めて簡単にそれら表示ボタンを水栓本体に装着することができる。
【００１１】
次に請求項３のものは、温度表示部を表示リングとして構成してこれを水栓本体に取付固定し、且つその表示リングに水栓本体及びレバーから左右方向に突出する水側の耳部と湯側の耳部とを設けたもので、このようにした場合においてもそれら耳部が水栓本体及びレバーから左右方向に突出することに起因して、請求項１と同様の効果を奏することができる。
【００１２】
【実施例】
次に本発明の実施例を図面に基づいて詳しく説明する。
図１は本発明の参考例のシングルレバー式混合水栓を示したもので、図中１０は水栓本体である。
水栓本体１０は、ボデー１２とその上側の混合部１４とを有しており、そのボデー１２の後面において一対の取付脚（クランク脚）１６によって、壁面等所定の取付基体に取り付けられている。
【００１３】
この水栓本体１０、詳しくはボデー１２の下面からは、先端に吐水口１８を有する吐水管２０が延び出している。
また前面には、吐水管２０からの吐水と図示を省略するシャワーヘッドからの吐水とを切り替えるための切替ハンドル２２が設けられている。
この切替ハンドル２２には、切替ハンドル２２の現在の切替状態を指し示すための突起状の指示部３２が設けられている。
【００１４】
一方水栓本体１０の上側、詳しくは混合部１４の上側には操作部としてのレバー（シングルレバー）２４が上下及び左右に回転可能に設けられている。
更に水栓本体１０の上部、詳しくは混合部１４の上部であってレバー２４の直下の部位には、温度表示のための表示リング２６が設けられている。
この表示リング２６は湯側（高温側）２６Ｈと水側（低温側）２６Ｃとが異なった色で塗り分けてある。この例では湯側２６Ｈが赤色、水側２６Ｃが水色に着色してある。
【００１５】
この表示リング２６に対応して、レバー２４の基部には現在温度を指し示すための指示部２８が設けられている。この例において指示部２８は切欠形状となしてある。
尚、レバー２４にはこれを上下に貫通する窓３４が設けられている。
また水栓本体１０の正面中央且つ混合部１４の下部には正面位置を指示するための指示部３０が設けられている。
ここで指示部３０は、切替ハンドル２２の位置表示のための表示も兼ねている。
【００１６】
図２は上記混合部１４の内部構造を表している。
同図に示しているようにボデー１２には水，湯を混合部１４内部に流入させる一対の流入流路３６と、混合水を流出させる流出流路３７とが形成されており、サプライ管を通じて送られて来た水と湯とが混合部１４で混合された上、流出流路３７を通じて吐水管２０又はシャワーヘッド側へと送られる。
【００１７】
混合部１４の内部には弁部４０が設けられており、その弁部４０によって、内部に流入した水と湯との混合及び混合比率の変化による温度調節、更には水量調節と吐水・止水等が行われる。
この弁部４０は固定ディスク４２と可動ディスク４４とを有しており、その可動ディスク４４がレバー２４の回転操作により作用アーム４５を介して固定ディスク４２の面上を摺動させられ、これによって上記の温度調節，吐水・止水等が行われる。
【００１８】
混合部１４においては、円筒形状の筒壁が樹脂カバー３８として構成されている。
この樹脂カバー３８には逆向きの椀形状をなす椀部３９が一体に成形されている。そしてその椀部３９の付根に上記表示リング２６が取付固定されている。
尚、４１は頭部４３を有する組付用の雄ねじである。
【００１９】
図３及び図４は上記表示リング２６の取付構造を具体的に表している。
図に示しているように表示リング２６は樹脂カバー３８、即ち水栓本体１０と別体に構成されており、そしてその表示リング２６に一体に形成された弾性を有する係止爪４６Ｒ，４６Ｆが、樹脂カバー３８の対応する位置に設けられた係止孔４７Ｒ，４７Ｆに係止されることで、かかる表示リング２６が樹脂カバー３８に、即ち水栓本体１０に取付固定されている。
ここで係止爪４６Ｒ，４６Ｆは何れも爪が半径方向内向きに形成されており、それら爪が係止孔４７Ｒ，４７Ｆの被係止部４８（図２参照）に係止するようになっている。
【００２０】
本例において、表示リング２６には後側に一対の係止爪４６Ｒが設けられる一方、前側に同じく一対の係止爪４６Ｆが設けられている。
またこれに対応して樹脂カバー３８の側にも、後側と前側とにそれぞれ一対の係止孔４７Ｒ，４７Ｆが設けられている。
【００２１】
ここで後側の一対の係止爪４６Ｒと４６Ｒとの周方向の間隔と、前側の一対の係止爪４６Ｆと４６Ｆとの周方向の間隔は異ならせてある。
具体的には、図３（Ｃ）に示しているように後側の一対の係止爪４６Ｒは中心角が６０°となる間隔で形成されており、また前側の一対の係止爪４６Ｆは中心角が７０°となるような間隔でそれぞれ設けられている。
樹脂カバー３８側の係止孔４７Ｒ，４７Ｆも同様である。
【００２２】
以上のような本例のシングルレバー式混合水栓の場合、吐水温度表示のための表示リング２６が位置固定であってレバー２４とともに回転しないため、現在温度がどうなっているのか、或いは吐水温度を高温側に又は低温側に変化させるにはレバー２４をどちらの方向に回転操作すれば良いかが明らかであり、水栓使用者は混同を生じることなくレバー２４を目的とする方向に確実に操作でき、従来に比べて操作性が向上する。
また表示リング２６がレバー２４の下側の水栓本体１０の上部且つレバー２４の直下の部位に位置しているため、子供や或いは背の低い人でも容易にその表示部を見ることができる。
【００２３】
本例ではまた、表示リング２６を、樹脂カバー３８の係止孔４７Ｒ，４７Ｆに対し係止爪４６Ｒ，４６Ｆを係止させることで水栓本体１０に取付固定するようにしており、このようにすることによって水栓本体１０と別体をなす表示リング２６を極めて簡単に水栓本体１０に装着することができる。
【００２４】
また後側の一対の係止爪４６Ｒ，４６Ｒ及び係止孔４７Ｒ，４７Ｒの周方向間隔と、前側の一対の係止爪４６Ｆ，４６Ｆ及び係止孔４７Ｆ，４７Ｆの周方向間隔とを異ならせているため、誤って表示リング２６を前後逆向きにして取り付けてしまうといったことを確実に防止できる。
【００２５】
図５は本発明の他の参考例を示したもので、この例は係止爪４６Ｒ，４６Ｆが半径方向外向きの爪を有しており、その爪が係止孔４７Ｒ，４７Ｆの被係止部５０に係止するようになっている。
図６は本発明の更に他の参考例を示したもので、この例は係止爪４６Ｒ，４６Ｆにおける爪を周方向に向けて形成し、その爪を係止孔４７Ｒ，４７Ｆにおける周方向の被係止部５２に係止させるようになした例である。
【００２６】
図７は本発明の更に他の参考例を示したものである。
この例では表示リング２６の内周に雌ねじ部５４を設ける一方、樹脂カバー３８の外周面に雄ねじ部５６を設け、これにより表示リング２６を樹脂カバー３８に対して、即ち水栓本体１０に対してねじ結合し固定するようになした例である。
このようにした場合においても表示リング２６を極めて簡単に水栓本体１０に装着することができる。
【００２７】
図８は本発明の更に他の参考例を示している。
この例では表示リング２６に雌嵌合面５８を形成する一方、樹脂カバー３８の側に雄嵌合面６０を形成し、それらを嵌合させる状態に表示リング２６を樹脂カバー３８に対し圧入固定するようになした例である。
このようにした場合においても表示リング２６を水栓本体１０に対し極めて簡単に取付固定することができる。
【００２８】
図９は本発明の更に他の参考例を示している。
この例は表示リング２６における雌嵌合面６２を樹脂カバー３８における雄嵌合面６４に嵌合するとともに、それら嵌合面６２，６４を接着剤６６にて接着固定するようになした例である。
このようにした場合においても表示リング２６を水栓本体１０に対し極めて簡単に取付固定することができる。
【００２９】
図１０及び図１１は本発明の実施例を示している。
この例は表示リング２６に樹脂カバー３８、即ち水栓本体１０及びレバー２４から左右方向に突出する水側の耳部６８Ｃと湯側の耳部６８Ｈとを設けた例である。
尚、表示リング２６の水栓本体１０に対する取付構造については図１〜図４に示す参考例と同様である。
但し、その取付構造として図５〜図９の取付構造を用いることも適宜になし得る。
【００３０】
本例のシングルレバー式混合水栓にあっては、耳部６８Ｃ，６８Ｈが水栓本体１０及びレバー２４から左右方向に突出していることから、例えばハンドル２４を前方且つ斜め上方向きに傾斜して取り付けた場合であっても、使用者が立姿勢でハンドル２４を正面から見たとき、即ちハンドル２４を上面側から見たとき温度表示が分り易い利点が得られる。
【００３１】
図１２及び図１３は本発明の更に他の参考例を示している。
この例は表示リング２６を３色成形により樹脂カバー３８に一体に成形した例である。
即ち赤色の湯側２６Ｈと水色の水側２６Ｃとを樹脂カバー３８とは異なる色で樹脂カバー３８の成形時に３色成形により一体に成形した例である。
本例においても表示リング２６を極めて簡単に水栓本体１０に装着することができる。
【００３２】
図１４は本発明の他の実施例を示している。
この例は上記のような表示リング２６に代えて、温度を表示するための表示部材として水側の表示ボタン７２Ｃと湯側の表示ボタン７２Ｈとを、樹脂カバー３８の左右位置に且つ樹脂カバー３８から左右方向に突出する状態で装着した例である。
【００３３】
ここで表示ボタン７２Ｃ，７２Ｈにはそれぞれ内向きに延び出すアーム７４が設けられていて、そのアーム７４の先端に下向きに折れ曲った形態の嵌合凸部７６が形成されており、この嵌合凸部７６が、樹脂カバー３８の対応する個所に設けられた嵌合孔（嵌合凹部）７０内に圧入固定され、以って一対の表示ボタン７２Ｃ，７２Ｈが樹脂カバー３８に取付固定されている。
【００３４】
本例において、表示ボタン７２Ｃ，７２Ｈは水栓本体１０及びレバー２４から左右方向に突出する状態で設けられているため、図１０，図１１に示す実施例と同様の効果を奏する。
また本例のシングルレバー式混合水栓にあっても、嵌合凸部７６と嵌合孔７０との嵌合によって極めて簡単に表示ボタン７２Ｃ，７２Ｈを水栓本体１０に装着することができる。
【００３５】
以上本発明の実施例を参考例とともに詳述したがこれはあくまで一例示である。
例えば上記の例では混合部１４における筒壁が何れも樹脂カバー３８として構成されているが、これを金属製となした場合においても本発明の適用は可能であるなど、本発明はその主旨を逸脱しない範囲において種々変更を加えた形態で構成可能である。
【図面の簡単な説明】
【図１】  本発明の参考例であるシングルレバー式混合水栓を示す図である。
【図２】  図１の要部を拡大して示す断面図である。
【図３】  同じ参考例の表示リングの取付構造を示す図である。
【図４】  同じ参考例の表示リングの取付構造を斜視図で示す図である。
【図５】  本発明の他の参考例の要部断面図である。
【図６】  本発明の更に他の参考例の要部を示す図である。
【図７】  本発明の更に他の参考例の要部を示す図である。
【図８】  本発明の更に他の参考例の要部を示す図である。
【図９】  本発明の更に他の参考例の要部を示す図である。
【図１０】  本発明の実施例の要部を示す図である。
【図１１】  図１０における表示リングの取付構造を示す図である。
【図１２】  本発明の更に他の参考例の要部を示す図である。
【図１３】  図１２の表示リングを樹脂カバーとともに示す断面図である。
【図１４】  本発明の他の実施例の要部を示す図である。
【図１５】  従来のシングルレバー式混合水栓の一例の要部を示す図である。
【符号の説明】
１０  水栓本体
２４  レバー（シングルレバー）
２６  表示リング
２６Ｃ  水側
２６Ｈ  湯側
３８  樹脂カバー
４６Ｆ，４６Ｒ  係止爪
４７Ｆ，４７Ｒ  係止孔
５４  雌ねじ部
５６  雄ねじ部
５８，６２  雌嵌合面
６０，６４  雄嵌合面
６６  接着剤
６８Ｃ，６８Ｈ  耳部
７０  嵌合孔（嵌合凹部）
７２Ｃ，７２Ｈ  表示ボタン
７６  嵌合凸部
【図１】
0003689303.tif 000002
【図２】
0003689303.tif 000003
【図３】
0003689303.tif 000004
【図４】
0003689303.tif 000005
【図５】
0003689303.tif 000006
【図６】
0003689303.tif 000007
【図７】
0003689303.tif 000008
【図８】
0003689303.tif 000009
【図９】
0003689303.tif 000010
【図１０】
0003689303.tif 000011
【図１１】
0003689303.tif 000012
【図１２】
0003689303.tif 000013
【図１３】
0003689303.tif 000014
【図１４】
0003689303.tif 000015
【図１５】
0003689303.tif 000016